(57)【特許請求の範囲】
【請求項１】
台石と、台石上に積み上げられる塔石とを備えて成り、塔石の下面に下向き凸部または上向き凹部が設けられるとともに、台石の上面に、塔石の下向き凸部と嵌合する下向き凹部、または塔石の上向き凹部と嵌合する上向き凸部が設けられ、塔石の下面と台石の上面との間、および、塔石の下向き凸部または上向き凹部と台石の下向き凹部または上向き凸部との間に、水分を通さない第１の弾性シート材が介在し、塔石の下向き凸部の下面と台石の下向き凹部の底面との間、または台石の上向き凸部の上面と塔石の上向き凹部の上底面との間に、空間部が設けられて、前記下向き凸部と下向き凹部とが非接触に、または、前記上向き凸部と上向き凹部とが非接触に構成された墓石であって、
前記第１の弾性シート材が、塔石の下向き凸部の外周面または上向き凹部の内周面と台石の下向き凹部の内周面または上向き凸部の外周面との間に全周にわたって介在するように筒状に形成された筒状部と、該筒状部の筒端の全周に形成されて塔石の下面と台石の上面との間に介在する全周鍔部とから構成されていることを特徴とする墓石。
【請求項２】
台石が、下台石と、下台石上に積み上げられる上台石とから構成され、上台石の下面に下向き凸部または上向き凹部が設けられるとともに、下台石の上面に、上台石の下向き凸部と嵌合する下向き凹部、または上台石の上向き凹部と嵌合する上向き凸部が設けられ、上台石の下面と下台石の上面との間、および、上台石の下向き凸部または上向き凹部と下台石の下向き凹部または上向き凸部との間に、水分を通さない第２の弾性シート材が介在し、上台石の下向き凸部の下面と下台石の下向き凹部の底面との間、または下台石の上向き凸部の上面と上台石の上向き凹部の上底面との間に、空間部が設けられて、前記下向き凸部と下向き凹部とが非接触に、または、前記上向き凸部と上向き凹部とが非接触に構成され、前記第２の弾性シート材が、上台石の下向き凸部の外周面または上向き凹部の内周面と下台石の下向き凹部の内周面または上向き凸部の外周面との間に全周にわたって介在するように筒状に形成された筒状部と、該筒状部の筒端の全周に形成されて上台石の下面と下台石の上面との間に介在する全周鍔部とから構成されている請求項１に記載の墓石。
【発明の詳細な説明】
【技術分野】
【０００１】
本発明は、地震や振動工事などから来る激しい揺れに強い墓石に関するものである。
【背景技術】
【０００２】
従来、この種の墓石は、例えば下記の特許文献１および特許文献２に記載されている。そのうちから、特許文献１に記載の墓石を図４に示す。図示の墓石５１は、地面ＧＬに設置される下台石５２と、下台石５２上に積み上げられる塔石５３と、下台石５３上に積み上げられる塔石５４とを備えている。塔石５４の下面には下向き凸部５５が設けられ、上台石５３の上面には、塔石５４の下向き凸部５５と嵌合する下向き凹部５６が設けられている。また、上台石５３の下面には下向き凸部５７が設けられ、下台石５２の上面には、上台石５３の下向き凸部５７と嵌合する下向き凹部５８が設けられている。塔石５４の下向き凸部５５の下面と上台石５３の下向き凹部５６の底面との間には、空間部５９が生じている。そして、上台石５３の下向き凸部５７の下面と下台石５２の下向き凹部５８の底面との間にも、空間部６０が生じている。
【０００３】
塔石５４の下向き凸部５５は、塔石５４の外側面から下向き凸部５５までの下面寸法Ｄ１が８０ｍｍ程度であり、塔５４石の下面から下向き凸部５５の下端までの縦寸法Ｌ１が７０ｍｍ程度である。一般に、塔石の横幅は２４０〜３６０ｍｍ程度であり、高さは横幅の約２．５倍（６００〜９００ｍｍ程度）が目安とされている。これらの墓石の材料としては、一般に花崗岩（御影石）、安山岩、閃緑岩などが用いられている。
かかる墓石５１は、地震などで揺れたときでも、下向き凸部５５と下向き凹部５６の嵌合構造、および下向き凸部５７と下向き凹部５８の嵌合構造によって、塔石５４が上台石５３から倒れたり、塔石５４または上台石５３が上台石５３上または下台石５２上で位置ズレしないようになっている。
【０００４】
【特許文献１】実公昭４８−４４８００号公報
【０００５】
【特許文献２】実開昭４７−１６７９９号公報
【発明の開示】
【発明が解決しようとする課題】
【０００６】
しかしながら、従来の墓石５１は石同士が直に接しているため、地震や近くの振動工事などで強く揺れた際に、塔石５４の下面角部、下向き凸部５５，５７の外面、上向き凹部５９，６０の内面が傷付いたり欠けたりすることがある。あるいは、塔石５４の大きさと比較して下向き凸部５５が細いため、強い揺れを受けたときに下向き凸部５５が折損して役に立たなくなるおそれがある。
また、一般に、墓石用の石材は水分が浸透する性質を持っているので、地面ＧＬの水分が下台石５２に浸透し、その水分が下台石５２から上台石５３へ移行し、更に上台石５３から塔石５４へ登っていく。このように地面ＧＬの水分を常時吸い上げていると、各石同士の接触部分や空間部５９，６０に常に水が溜まることとなり、その部分にカビやコケが発生して繁殖する。このようなカビやコケはその存在自体が墓石の見栄えを損ない、その発生部分で石表面特有の鏡面光沢が失われるという問題がある。
【０００７】
本発明は、上記した従来の問題点に鑑みてなされたものであって、強い揺れによる塔石の転倒や位置ズレを防げるのは無論のこと、塔石および台石の傷付きや破損を防いだり、あるいはカビやコケの発生しにくい墓石の提供を目的とする。
【課題を解決するための手段】
【０００８】
上記目的を達成するために、本発明に係る墓石は、台石と、台石上に積み上げられる塔石とを備えて成り、塔石の下面に下向き凸部または上向き凹部が設けられるとともに、台石の上面に、塔石の下向き凸部と嵌合する下向き凹部、または塔石の上向き凹部と嵌合する上向き凸部が設けられ、塔石の下面と台石の上面との間、および、塔石の下向き凸部または上向き凹部と台石の下向き凹部または上向き凸部との間に、水分を通さない第１の弾性シート材が介在し、塔石の下向き凸部の下面と台石の下向き凹部の底面との間、または台石の上向き凸部の上面と塔石の上向き凹部の上底面との間に、空間部が設けられて、前記下向き凸部と下向き凹部とが非接触に、または、前記上向き凸部と上向き凹部とが非接触に構成された墓石であって、前記第１の弾性シート材が、塔石の下向き凸部の外周面または上向き凹部の内周面と台石の下向き凹部の内周面または上向き凸部の外周面との間に全周にわたって介在するように筒状に形成された筒状部と、該筒状部の筒端の全周に形成されて塔石の下面と台石の上面との間に介在する全周鍔部とから構成されている。
【０００９】
そして、前記した構成において、台石が、下台石と、下台石上に積み上げられる上台石とから構成され、上台石の下面に下向き凸部または上向き凹部が設けられるとともに、下台石の上面に、上台石の下向き凸部と嵌合する下向き凹部、または上台石の上向き凹部と嵌合する上向き凸部が設けられ、上台石の下面と下台石の上面との間、および、上台石の下向き凸部または上向き凹部と下台石の下向き凹部または上向き凸部との間に、水分を通さない第２の弾性シート材が介在し、上台石の下向き凸部の下面と下台石の下向き凹部の底面との間、または下台石の上向き凸部の上面と上台石の上向き凹部の上底面との間に、空間部が設けられて、前記下向き凸部と下向き凹部とが非接触に、または、前記上向き凸部と上向き凹部とが非接触に構成され、前記第２の弾性シート材が、上台石の下向き凸部の外周面または上向き凹部の内周面と下台石の下向き凹部の内周面または上向き凸部の外周面との間に全周にわたって介在するように筒状に形成された筒状部と、該筒状部の筒端の全周に形成されて上台石の下面と下台石の上面との間に介在する全周鍔部とから構成されているものである。
【発明の効果】
【００１０】
本発明に係る墓石によれば、塔石の下面と台石の上面との間、および、塔石の下向き凸部または上向き凹部と台石の下向き凹部または上向き凸部との間に、第１の弾性シート材を介在させた構成が採用されるので、塔石と台石は直に接することがなく、地震などの揺れを受けた場合は第１の弾性シート材の弾性力により揺れが緩和されるから、塔石と台石の破損や傷付きを防止できて墓石の美しい外観を保持することができる。
【００１１】
また、水分を通さない第１の弾性シート材と空間部の存在により、下向き凸部と下向き凹部とが非接触に、または上向き凸部と上向き凹部とが非接触になるように構成した場合は、通水性に関して塔石と台石とが絶縁されるので、台石に浸透した水分は塔石と台石の積み重ね位置および塔石へ移行しない。これにより、塔石の積み重ね位置および塔石が常時湿った状態にならないから、カビやコケが発生することを防止できる。また、墓石の外面に降りかかった水は、筒状部および全周鍔部を備える水密性の第１の弾性シート材の存在により、塔石と台石の隙間から空間部内に入り込まない。従って、塔石と台石間の空間部は常に乾燥した状態になるから、この空間部においてもカビやコケが発生しにくくなるという効果がある。
【００１２】
そして、水分を通さない第２の弾性シート材と空間部が上台石と下台石の間に介在することにより、下向き凸部と下向き凹部とが非接触に、または上向き凸部と上向き凹部とが非接触になるように構成した場合は、通水性に関して上台石と下台石とが絶縁されるので、下台石に浸透した水分は上塔石と下台石の積み重ね位置および上台石へ移行しない。これにより、上台石と下台石の積み重ね位置、上台石、および塔石が常時湿った状態にならないから、墓石の広い範囲にわたってカビやコケの発生を防止できる。また、墓石の外面に降りかかった水は、筒状部および全周鍔部を備える水密性の第２の弾性シート材の存在により、上台石と下台石の隙間から空間部内に入り込まない。従って、上台石と下台石間の空間部は常に乾燥した状態になるから、この空間部においてもカビやコケが発生しにくくなるという効果がある。
【発明を実施するための最良の形態】
【００１３】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る墓石の分解斜視図、図２は前記墓石の正断面図である。
各図において、この実施形態に係る墓石１は、台石２と、台石２上に積み上げられる塔石３とを備えている。台石２は、地面ＧＬに設置される下台石５と、下台石５上に積み上げられる上台石６とから構成されている。これらの下台石５、上台石６、および塔石３は例えば白御影石で構成されている。但し、本発明では白御影石に限定されない。塔石３の下面１０には下向き凸部８が設けられ、上台石６の上面１１に、塔石３の下向き凸部８と嵌合する下向き凹部９が設けられている。
【００１４】
塔石３の下面１０と上台石６の上面１１との間、および、下向き凸部８の外周面１２と下向き凹部９の内周面１３との間にそれぞれ介在するように、弾性シート材４が配設されている。また、上台石６の下面１９に下向き凸部１７が設けられ、下台石５の上面２０に、上台石６の下向き凸部１７と嵌合する下向き凹部１８が設けられている。上台石６の下面１９と下台石５の上面２０との間、および、上台石６の下向き凸部１７の外周面３９と下台石５の下向き凹部１８の内周面２１との間にそれぞれ介在するように、水分を通さない弾性シート材７が配設されている。そして、塔石３の下向き凸部８の下面１４と上台石６の下向き凹部９の底面１５との間には、空間部１６が設けられている。この空間部１６および弾性シート材４を備える構成により、下向き凸部８と下向き凹部９とが非接触になっている。そして、上台石６の下向き凸部１７の下面２２と下台石５の下向き凹部１８の底面２３との間にも、空間部２４が設けられている。この空間部２４および弾性シート材７を備える構成により、下向き凸部１７と下向き凹部１８とが非接触になっている。
【００１５】
前記の弾性シート材４（第１の弾性シート材）は上端に全周鍔部４２を有する角筒状に形成された筒状部４１を備えていて、この筒状部４１は下向き凸部８の外周面１２に外嵌され下向き凹部９の内周面１３に内嵌されるようになっている。弾性シート材７（第２の弾性シート材）も上端に全周鍔部７２を有する角筒状に形成された筒状部７１を備えていて、この筒状部７１は下向き凸部１７の外周面３９に外嵌され下向き凹部１８の内周面２１に内嵌されるようになっている。これらの弾性シート材４，７は、弾性を有し且つ水分を通さない材料、例えば厚さ１．５ｍｍのシリコーンゴムで構成されている。但し、本発明に係る弾性シート材の材料の種類および厚さは前記に限定されない。
【００１６】
上記した構成の墓石１は、地震の発生や近くの振動工事などで強く揺さぶられても、下向き凸部８と下向き凹部９の嵌合構造、および下向き凸部１７と下向き凹部１８の嵌合構造により、塔石３が倒れることがなく、塔石３や上台石６が上台石６上や下台石５上で位置ズレしたりしない。また、塔石３と上台石６同士、上台石６と下台石５同士は、それぞれの間に弾性シート材４，７が介在しているので直に接することがなく、且つ、弾性シート材４，７の弾性力により揺れが緩和されるから、いずれの石も破損することがなく、割れや欠けのない美しい外観を長年保持することができる。
【００１７】
そして、地面ＧＬからの水分は下台石５に浸透してくるが、水密性の弾性シート材７および空間部２４の存在により下台石５から上台石６へ上がってくることはない。また、墓参時に上台石６に水が掛けられても、水密性の弾性シート材４および空間部１６の存在により、水が上台石６から塔石３へ上がってくることはない。一方、墓石１の外面に降りかかった水や雨水は、水密性の弾性シート材４，７の存在により、塔石３と上台石６の隙間および上台石６と下台石５の隙間から下向き凹部９，１８内に入り込まない。従って、雨天時や水掛け時以外、塔石３および上台石６は常に乾燥した状態になるから、塔石３および上台石６の表面や積み重ね部分にカビやコケが発生しにくく、墓石特有の鏡面光沢も長年にわたり失われない。
他方で、空間部１６，２４が設けられることにより、下向き凸部８、下向き凹部９、下向き凸部１７、または下向き凹部１８のそれぞれの縦寸法に関して、多少の寸法誤差が許容されるから高い寸法精度が要求されない。従って、下向き凸部８、下向き凹部９、下向き凸部１７、または下向き凹部１８を容易に製作することができる。
【００１８】
ところで、塔石３の下向き凸部８を、塔石３の外側面３Ａから下向き凸部８までの下面寸法Ｄが１０ｍｍ以上２０ｍｍ以下で、且つ、塔石３の下面１０から下向き凸部８の下面１０までの縦寸法Ｌが１００ｍｍ以上２００ｍｍ以下となるように形成すると、耐震性が向上する。この場合、塔石３の横幅に応じて下面寸法Ｄが設定されるが、塔石３の横幅が大きくなるにつれて下向き凸部８の横幅も大きくなる。一方で、縦寸法Ｌは塔石３の大きさによることなく、１００ｍｍ以上２００ｍｍの範囲内で適宜に選定される。因みに、この実施形態において、例えば、塔石３の高さは６２０ｍｍ、横幅は２４０ｍｍ、下面寸法Ｄは１５ｍｍ、下向き凸部８の縦寸法Ｌは１５０ｍｍ、下向き凹部９の上面１１からの深さは１８０ｍｍ弱、空間部１６の高さは３０ｍｍである。
【００１９】
尚、前記の下面寸法Ｄが１０ｍｍを下回ると、上台石６の上面１１に支持される受面が狭くなりすぎて、上台石６の下向き凹部９の縁部が欠けやすくなる。前記の下面寸法Ｄが２０ｍｍを上回ると、下向き凸部８が細くなり過ぎて地震時などの揺れで折損するおそれが高くなる。また、前記の縦寸法Ｌが１００ｍｍを下回ると、地震時などの揺れで下向き凸部８が下向き凹部９から抜けやすくなる。前記の縦寸法Ｌが２００ｍｍを上回ると、上台石６の高さを大きくせざるを得ず下向き凹部９を深く製作する必要が生じて手間とコストがかかる。
前記のように塔石３および下向き凸部８の所定寸法を設定しておくと、塔石３の横幅に対して下向き凸部８の横幅が比較的太くなるために、墓石１が地震の発生や近くの振動工事などにより強く揺さぶられても折損しない。また、下向き凸部８の縦寸法Ｌは比較的長いために、強く揺さぶられても下向き凸部８が下向き凹部９から抜けにくい。
【００２０】
一方、図３に示した墓石１ａは、下台石５ａ上台石６ａとから成る台石２ａと、台石２ａ上に積み上げられる塔石３ａとを備えている。塔石３ａの下面１０には上向き凹部２５が設けられ、上台石６ａの上面１１に、塔石３ａの上向き凹部２５と嵌合する上向き凸部２６が設けられている。塔石３ａの下面１０と上台石６ａの上面１１との間、および、上向き凸部２６の外周面２７と上向き凹部２５の内周面２８との間にそれぞれ介在するように、水分を通さない弾性シート材４ａを配設されている。
【００２１】
また、上台石６ａの下面１９に上向き凹部３２が設けられ、下台石５ａの上面２０に上台石６ａの上向き凹部３２と嵌合する上向き凸部３３が設けられている。上台石６ａの下面１９と下台石５ａの上面２０との間、および、下石台５ａの上向き凸部３３の外周面３４と上台石６ａの上向き凹部３２の内周面３５との間にそれぞれ介在するように、水分を通さない弾性シート材７ａが配設されている。そして、上台石６ａの上向き凸部２６の上面２９と塔石３ａの上向き凹部２５の上底面３０との間に、空間部３１が設けられている。この空間部３１と弾性シート材４ａにより、上向き凸部２６と上向き凹部２５とが非接触となる。下台石５ａの上向き凸部３３の上面３６と上台石６ａの上向き凹部３２の上底面３７との間にも、空間部３８が設けられている。この空間部３８と弾性シート材７ａにより、上向き凸部３３と上向き凹部３２とが非接触となる。
【００２２】
かかる構成の墓石１ａも、先述した墓石１と同様の作用、効果を奏する。すなわち、地震などによる倒壊や位置ズレがなく、弾性シート材４ａ，７ａの弾性支持により石の割れや欠けが防止される。また、水密性の弾性シート材４ａおよび空間部３１の存在と、水密性の弾性シート材７ａおよび空間部３８の存在によって、各石間の水分移動が阻止されて各石が乾燥しやすくなり、カビやコケの発生を防止できる。また、空間部３１と空間部３８を設けたことにより、上向き凸部２６、上向き凹部２５、上向き凸部３３、または上向き凹部３２の製作が容易になる。
【００２３】
尚、上記の実施形態では凸部や凹部の平面形状を四角形にしたものを例示したが、本発明では四角形に限らず任意であり、凸部や凹部の平面形状が例えば四角形以外の多角形状、円形、長円形、楕円形などであってもよい。
【００２４】
また、上台石の上面に上向き凸部を設け上台石の下面に下向き凸部を設けて成る墓石や、上台石の上面に下向き凹部を設け上台石の下面に上向き凹部を設けて成る墓石であってもよい。
【図面の簡単な説明】
【００２５】
【図１】本発明の一実施形態に係る墓石の分解斜視図である。
【図２】前記墓石の正断面図である。
【図３】本発明の別の実施形態に係る墓石の正断面図である。
【図４】従来の墓石の正断面図である。
【符号の説明】
【００２６】
１，１ａ  墓石
２，２ａ  台石
３，３ａ  塔石
３Ａ  外側面
４，４ａ  弾性シート材（第１の弾性シート材）
７，７ａ  弾性シート材（第２の弾性シート材）
５，５ａ  下台石
６，６ａ  上台石
８，１７  下向き凸部
９，１８  下向き凹部
１０，１９  下面
１１，２０  上面
１４，２２  下面
１５，２３  底面
１６，２４，３１，３８  空間部
２５，３２  上向き凹部
２６，３３  上向き凸部
２９，３６  上面
３０，３７  上底面
Ｌ  縦寸法
Ｄ  下面寸法
１２，２７，３４，３９  外周面
１３，２１，２８，３５  内周面
４１，７１  筒状部
４２，７２  全周鍔部
【図１】
0004131721.tif 000002
【図２】
0004131721.tif 000003
【図３】
0004131721.tif 000004
【図４】
0004131721.tif 000005